【手続補正書】
【提出日】平成15年12月25日(2003.12.25)
【手続補正１】
【補正対象書類名】明細書
【補正対象項目名】発明の名称
【補正方法】変更
【補正の内容】
【発明の名称】脳卒中患者用等作業訓練方法およびその訓練作業器
【手続補正２】
【補正対象書類名】明細書
【補正対象項目名】特許請求の範囲
【補正方法】変更
【補正の内容】
【特許請求の範囲】
【請求項１】
支柱の適宜の高さに固定可能に設けた腕棒に、輪を掛け、あるいは外すことにより訓練を行う脳卒中患者用作業訓練方法。
【請求項２】
支柱の傾き、腕棒の高さ、長さを変え、腕棒に輪を掛け、あるいは外すことにより訓練を行う脳卒中患者用作業訓練方法。
【請求項３】
前記支柱の設置位置、前記支柱傾き、前記腕棒の高さ、前記腕棒の長さを適宜変えることにより訓練の難度を上げてゆくことを特徴とする請求項１または請求項２に記載の脳卒中患者用作業訓練方法。
【請求項４】
人体の数個所を測定しその人体側測定値と、人体の位置を基点とした訓練器の位置とを基に所定の数式に従って演算し、その結果によって機能回復進度を評価することを特徴とする脳卒中患者用作業訓練方法。
【請求項５】
前記演算は、コンピュータによって行うことを特徴とする請求項４に記載の脳卒中患者用作業訓練方法。
【請求項６】
前記演算結果を得点表示することを特徴とする請求項４または請求項５に記載の脳卒中患者用作業訓練方法。
【請求項７】
患者がリハビリのために輪を掛け下げする腕棒を、脚に立設した支柱の適宜位置に固定可能に設け、また、支柱の近傍には、角度計付距離計を設けたことを特徴とすると脳卒中患者用等作業訓練器。
【請求項８】
患者がリハビリのために輪を掛け下げする腕棒を、支柱に摺動自在、且つ、適宜の位置に固定可能に設け、また、支柱の下方には、角度計付距離計と三脚を設けたことを特徴とすると脳卒中患者用等作業訓練器。
【請求項９】
前記三脚は、左前脚と右前脚と後脚からなり、これら左前脚と右前脚と後脚の交点から上方に前記支柱を立ち上げ、そして、前記支柱には、腕棒の位置を測定するために目盛りを設け、腕棒は、その先端の位置から下ろした垂線の位置が左前脚と右前脚の中間の位置になるように支柱に固定状態とすることを特徴とする請求項８の脳卒中患者用等作業訓練器。
【請求項１０】
前記左前脚と右前脚とのなす角度を約１００°、前記左前脚と後脚、後脚と右前脚とのなすそれぞれの角度を約１３０°とし、また、左前脚と右前脚と後脚の先端には、外側足と内側足とからなる略Ｌ字状の足を固定し、左前脚と後脚の長さは、腕棒の先端からの垂線が、左前脚と右前脚の外側足を結ぶ線と三脚中心を結んでできる三角形の中に落ちるように設定し、支柱は垂直に対して後方に約５°程度傾斜して設け、支柱の先端から下ろした垂線は後脚に上、後脚の中心より約６０％の長さの位置に落ちるように、支柱との関係で後脚の長さは設定するものとしたことを特徴とする請求項８〜９のうちの１記載の脳卒中患者用等作業訓練器。
【請求項１１】
前記外側足と内側足との角度を９０°或いは１２０°とし、前記外側足と内側足にゴム等からなる滑り止めを被覆したことを特徴とする請求項１０記載の脳卒中患者用等作業訓練器。
【請求項１２】
前記支柱の先端と腕棒先端に発光器あるいは発音器を設けたことを特徴とする請求項８〜１１のうちの１記載の脳卒中患者用等作業訓練器。
【請求項１３】
角度計付距離計は、マイクロコンピュ−タ付きとし、また、支柱あるいは腕棒の適宜の位置に測定値処理用マイクロコンピュ−タを設け、患者のリハビリの進展度を得点化したことを特徴とする請求項８〜１２のうちの１記載の脳卒中患者用等作業訓練器。
【請求項１４】
前記脳卒中患者用等作業訓練器と患者との角度と距離と患者の人体の数カ所を測定し、動作範囲の難易度に等級と得点をつけ、リハビリの進展度を数値化し、前記測定値処理用マイクロコンピュ−タを用いて表示可能としたことを特徴とする請求項１３記載の脳卒中患者用等作業訓練器。
【請求項１５】
人体の数個所を測定し、その人体側測定値を前記測定値処理用マイクロコンピュ−タの処理ソフトでもって動作難易度等級を決定し、それに対応した前記角度計付距離計の基点と前記三脚中心間距離Ｌと、ポ−ルの輪掛け用腕棒の床面からの高さＨを決定し、その結果を表示できるようにしたことを特徴とする請求項１４記載の脳卒中患者用等作業訓練器。
【請求項１６】
座面正面より健側 (麻痺の見られない側）へ９０°の方向を０度として患側（麻痺した側）への方向を正値として読み、１００で割った値に、ｃｍ単位で測定した座面中点から輪取り器１までの距離を積算して得た値を得点として表示できるようにしたことを特徴とする請求項１４記載の脳卒中患者用等作業訓練器。
【請求項１７】
前記人体側測定値として、座位時肩峰高、立位時肩峰高、上腕長、前腕長、握り手長、両側肩峰間距離、座高、座位骨盤高、大腿長、下腿長、座面高をそれぞれ測定し、動作の難易度の難易度を１２等級に分け、各等級に得点を設けたことを特徴とする請求項１５記載の脳卒中患者用等作業訓練器。
【手続補正３】
【補正対象書類名】明細書
【補正対象項目名】０００１
【補正方法】変更
【補正の内容】
【０００１】
【発明の属する技術分野】
本発明は、脳卒中後片麻痺患者等の身体障害者がＡＤＬ（日常生活活動）自立を図るための脳卒中患者用等作業の訓練方法およびその訓練作業器であり、特に発症後数ケ月に渡り、座位をとると麻痺側に傾斜・傾倒する患者が、健側で主に体重を支持しバランスを保持する能力を可能にするための脳卒中患者用等作業訓練方法およびその訓練作業器に関するものである。


【手続補正４】
【補正対象書類名】明細書
【補正対象項目名】０００３
【補正方法】変更
【補正の内容】
【０００３】
【発明が解決しようとする課題】
このようなことから、本発明が解決しようとする課題は、脳卒中患者用等のリハビリの訓練器としての専用の輪掛け或いは下げ器を提供すること、また、輪掛け或いは下げ器を用いて患者の障害度或いはリハビリの進展度を数値化し、それに応じたリハビリを行なえるようにした脳卒中患者用等作業訓練方法および作業訓練器を提供することにある。


【手続補正５】
【補正対象書類名】明細書
【補正対象項目名】０００４
【補正方法】変更
【補正の内容】
【０００４】
支柱の適宜の高さに固定可能に設けた腕棒に、輪を掛け、あるいは外すことにより訓練を行う脳卒中患者用作業訓練方法である。
また、支柱の傾き、腕棒の高さ、長さを変え、腕棒に輪を掛け、あるいは外すことにより訓練を行う脳卒中患者用作業訓練方法である。
また、前記支柱の設置位置、前記支柱傾き、前記腕棒の高さを変えることにより訓練の難度を上げてゆくことを特徴とする脳卒中患者用作業訓練方法である。
また、人体の数個所を測定しその人体側測定値と、人体の位置を基点とした訓練器の位置とを基に所定の数式に従って演算し、その結果によって機能回復進度を評価することを特徴とする脳卒中患者用作業訓練方法である。
また、前記演算は、コンピュータによって行うことを特徴とする脳卒中患者用作業訓練方法である。
また、前記演算結果を得点表示することを特徴とする脳卒中患者用作業訓練方法である。
また、患者がリハビリのために輪を掛け下げする腕棒を、脚に立設した支柱の適宜位置に固定可能に設け、また、支柱の下方には、角度計付距離計を設けたことを特徴とすると脳卒中患者用等作業訓練器である。
また、患者がリハビリのために輪を掛け下げする腕棒を、支柱に摺動自在、且つ、適宜の位置に固定可能に設け、また、支柱の下方には、角度計付距離計と三脚を設けたことを特徴とすると脳卒中患者用等作業訓練器である。
また、前記三脚は、左前脚と右前脚と後脚からなり、これら左前脚と右前脚と後脚の交点から上方に前記支柱を立ち上げ、そして、前記支柱には、腕棒の位置を測定するために目盛りを設け、腕棒は、その先端の位置から下ろした垂線の位置が左前脚と右前脚の中間の位置になるように支柱に固定状態とすることを特徴とする脳卒中患者用等作業訓練器である。